(57)【要約】【課題】検査対象ボルトの長さおよび径を基準となるサンプルボルトと視覚的に簡単に比較することができるボルト確認治具を提供する。【解決手段】ボルト確認治具１はプレート２とこのプレート２に垂直に固定される縦板３を備え、プレート２の縦板３寄りの部分には略等間隔で複数種類のサンプルボルト４…が植設され、各サンプルボルト４に近接した位置に検査対象ボルトのネジが刻設されたステム部を嵌め込む検査穴６…が形成されている。そして、長さ及び径寸法が不明な検査対象ボルトを、当該検査対象ボルトと同一と思われるサンプルボルト４に近接する検査穴６に嵌め込み、検査対象ボルトが検査穴６に垂直に嵌め込まれ、その高さはサンプルボルト４とが同一の場合には検査対象ボルトとサンプルボルトとは同一と判断し、長さが異なったり、検査対象ボルトが倒れた場合には同一でないと判断する。【選択図】      図１
2004286646.tif 000002
【特許請求の範囲】
【請求項１】
検査対象ボルトの長さおよび径を基準となるサンプルボルトと比較するボルト確認治具であって、このボルト確認治具はサンプルボルトを植設したプレートを備え、このプレートのサンプルボルトに近接する箇所にボルトのステム部が嵌まり込む検査穴が形成され、この検査穴の径は当該サンプルボルトと同一の検査対象ボルトのステム部がガタ付きなく嵌まり込む径とされ、また検査穴の深さは当該サンプルボルトと同一の検査対象ボルトを嵌め込んだ場合に当該サンプルボルトと同一の検査対象ボルトとが同一高さになる深さとされていることを特徴とするボルト確認治具。
【請求項２】
請求項１に記載のボルト確認治具において、このボルト確認治具はサンプルボルトの品番表示部を有することを特徴とするボルト確認治具。
【発明の詳細な説明】
【０００１】
【発明の属する技術分野】
本発明は、ボルト（ネジも含む）品番を簡単に知ることができるボルト確認治具に関する。
【０００２】
【従来の技術】
ボルトには用途に応じて各種の寸法が存在する。例えば、複数の部品とともにセットにして送り出す際に、間違ったボルトを入れてしまうと、セットを受け取った側において組立てができなくなる。
【０００３】
そこで、発光素子と受光素子を用いてボルトの頭部の径、首下部（ステム部）の長さを測定し、且つ測定した値と基準となる値とを比較して良品を選別する方法が開示されている。（特許文献１）
また、ボルト（ネジ）を搬送する電磁式振動フィーダの途中に、ボルト頭部チェックステーションとステムチェックステーションを設け、各ステーションに配置した光学手段にて寸法などを検出する方法が開示されている。（特許文献２）また、ケースとガイドとの隙間にボルトをセットしてボルトの寸法を検査する際に、ボルトが所定寸法より長いとセットできず、短いとガイドに届かず検出信号が出ないようにした方法が開示されている。（特許文献３）
【０００４】
【特許文献】
特許文献１：特開昭５７−１９２８１３号公報の第２頁右下欄４行〜第３頁左下欄４行
特許文献２：特開平５−３１６４４号公報の段落
【０００６】〜
【００１１】
特許文献３：特開２０００−１４２９５９号公報の段落
【００５６】〜
【００５７】、図１６、図１７
【０００５】
【発明が解決しようとする課題】
上述した従来の装置によれば、極めて正確にボルトの寸法を測定することができる。しかしながら、ボルト製造装置が所定寸法のボルトを製造しているか否かを検査する場合には精密な測定が必要であるが、既に出来上がっているボルトを仕分けするような場合に、上記した装置を用いることは現実的でない。
また、上記した従来の装置は設置スペースも大きく必要とされ、且つ誰にでも扱えるものではなく、簡便性に欠ける。
【０００６】
【課題を解決するための手段】
上記課題を解決するため、本発明に係るボルト確認治具は、サンプルボルトを植設したプレートを備え、このプレートのサンプルボルトに近接する箇所にボルトのステム部が嵌まり込む検査穴が形成され、この検査穴の径は当該サンプルボルトと同一の検査対象ボルトのステム部がガタ付きなく嵌まり込む径とされ、また検査穴の深さは当該サンプルボルトと同一の検査対象ボルトを嵌め込んだ場合に当該サンプルボルトと同一の検査対象ボルトとが同一高さになる深さとされた構成とした。尚、本発明にあってはボルトの概念にはネジも含まれるものとする。
上記の構成とすることで、検査対象ボルトの長さおよび径を基準となるサンプルボルトと視覚的に簡単に比較することができる。
【０００７】
複数のサンプルボルトを１つのプレート上に植設する場合には、各サンプルボルトの近くに当該サンプルボルトの品番を示す表示部を設けることが好ましい。
【０００８】
【発明の実施の形態】
以下に本発明の実施の態様を添付図面に基づいて説明する。図１は本発明に係るボルト確認治具の全体斜視図であり、ボルト確認治具１はプレート２とこのプレート２に垂直に固定される縦板３を備え、プレート２の縦板３寄りの部分には略等間隔で複数種類のサンプルボルト４…が植設されている。
【０００９】
各サンプルボルト４…はプレート２に形成した嵌め込み穴５…に対し、取外し自在としてもよいが、一旦外すと間違ったサンプルボルトをその後に嵌め込むおそれがあるため、抜けないように接着剤などで固定しておくのが好ましい。
尚、嵌め込み穴５…の径と深さは各サンプルボルト４…に対応したものでありそれぞれ異なっている。ただし、同一の場合もある。
【００１０】
また、各サンプルボルト４（嵌め込み穴５）に近接した位置に検査対象ボルトのネジが刻設されたステム部を嵌め込む検査穴６…が形成されている。これら検査穴６…はそれぞれが対応する嵌め込み穴５…と径および深さが等しくなっている。例えば嵌め込み穴５ａと検査穴６ａとは径および深さが等しい。
【００１１】
更に、前記縦板３の各サンプルボルト４に対応する箇所には、各サンプルボルト４の品番を示す表示部７が設けられている。
【００１２】
以上において、長さ及び径寸法が不明な検査対象ボルトを、当該検査対象ボルトと同一と思われるサンプルボルト４に近接する検査穴６に嵌め込む。検査対象ボルトとサンプルボルト４とが同一の場合には、検査対象ボルトは検査穴６に垂直に嵌め込まれ、その高さはサンプルボルト４とが同一になる。
【００１３】
一方、検査対象ボルトの径はサンプルボルトと等しいが長さが異なる場合には、図２（ａ）に示すように、検査対象ボルトとサンプルボルトとの高さが異なることになる。また検査対象ボルトの径がサンプルボルトの径よりも太い場合には検査対象ボルトを対応する検査穴に嵌め込むことができず、逆に検査対象ボルトの径がサンプルボルトの径よりも細い場合には、図２（ｂ）に示すように検査対象ボルトが倒れてしまう。
したがって、目視により検査対象ボルトとサンプルボルトとが同一か否かを簡単に判別することができる。
【００１４】
尚、図示例では透明な縦板に品番表示部を設けているが、サンプルボルトが１つの場合などには品番表示部を設けなくともよい。また縦板を設けずにプレートの水平面積を大きくして余った部分に品番表示部を設けてもよい。
【００１５】
【発明の効果】
以上に説明したように、本発明によれば、検査対象ボルトが径寸法及び長さ寸法が分っているサンプルボルトと同一か否かを、極めて簡単な構造の治具により、簡単に判別することができる。
また、従来の装置と異なり、スペースを取ることがなく、必要な場所に持ち運ぶことができる。したがって、ボルトの仕分け作業などに用いることで、作業効率が大幅に向上する。
【図面の簡単な説明】
【図１】本発明に係るボルト確認治具の全体斜視図
【図２】（ａ）はサンプルボルトと比較して検査対象ボルトの長さが短い場合を示す斜視図、（ｂ）はサンプルボルトと比較して検査対象ボルトの径が細い場合を示す斜視図
【符号の説明】
１…ボルト確認治具、２…プレート、３…縦板、４…サンプルボルト、５，５ａ…嵌め込み穴、６，６ａ…検査穴、７…品番表示部。
【図１】
2004286646.tif 000003
【図２】
2004286646.tif 000004